(57)【要約】【課題】  取外し可能なトレー状底板を備えた配線ダクトの側壁に着目し、当該側壁下部の断面構造を利用してダクト内の天板面に近い部位に接続部を位置付けてハブを配設することができるようにしたハブ取付装置を提供すること。【解決手段】  天板１，２、５，６に設けた配線ダクト８における立壁状の下部に対向して形成されたＬ状段部81a，82aに、前記配線ダクト８に収まる正面視略門型状をなし、上部にハブ取付部に形成すると共に下部に前記段部への取付部を形成したハブ取付金具10の２個を、前記ダクト内で移動，固定可能に設け、当該取付金具10のハブ取付部にハブＨを架設して取付るようにしたこと。【選択図】図４
2010110473.tif 000002
【特許請求の範囲】
【請求項１】
天板に設けた配線ダクトにおける立壁状の下部に対向して形成されたＬ状段部に、前記配線ダクトに収まる正面視略門型状をなし、上部にハブ取付部に形成すると共に下部に前記段部への取付部を形成したハブ取付金具の２個を、前記ダクト内で移動，固定可能に設け、当該取付金具のハブ取付部にハブを架設して取付るようにしたことを特徴とするテーブルのハブ取付装置。
【請求項２】
ハブ取付金具は、対向したＬ状段部の水平辺の上面に載置される逆Ｌ状の翼片を両側辺下部に対称的に備えた正面視略門型をなす取付金具本体と、前記Ｌ状段部の水平辺の下面に当接される外向き突出片を下部寄りに備えると共に前記取付金具本体の下面にビス止めされる内向き結合片を上端部に備えた締付金具を備えた請求項１のハブ取付装置。
【請求項３】
ハブ取付金具は、その２組を前記配線ダクトの立壁状側壁のＬ状段部に、設置されるハブの長さに見合う距離に調節して取付け、離間して設けられた前記取付金具本体にハブの両端部を架設固定するようにした請求項２のハブ取付装置。
【請求項４】
締付金具の下部における外向き突出片の下方に、設置したハブを外側からカバーするカバー部材を吊下支持するための外向き係止片を形成した請求項２又は３のハブ取付装置。
【請求項５】
カバー部材は、平面から見て略Ｕ状をなすパンチングプレートなどによる囲みパネル材を対称的な形に組合せ、その側壁の上部に形成した断面略７状の被係止部を、前記締付金具を設けた外向き係止片に係止することにより、配線ダクトの両側壁下部に装着した請求項２〜４のいずれかのハブ取付装置。
【発明の詳細な説明】
【技術分野】
【０００１】
本発明は天板に開口部を設け、該天板開口部の下に断面略Ｕ状などをなす配線ダクトを備えたテーブル（本明細書では、テーブルはデスクを含む概念として用いる）におけるハブ取付装置に関する。
【背景技術】
【０００２】
近時、大形天板を備えたテーブルを、多人数のオフィス要員がフリーアドレス（着席位地を決めず任意の位置に着ける）で使用するようにしたオフィス形態が多くなった。
【０００３】
すなわちオフィス要員の個々人に１人分ずつのデスクを配置すると、どうしても床占有面積が大きくなりがちであるため、前後幅（奥行き方向）、長さ（左右方向）とも大形に形成した大形天板を有するテーブルを設置してフリーアドレスで使用するようにし、オフィス床のスペース効率を上げると共に、複数要員でのチーム作業などに向いたテーブル配置が採用されることが多くなった。
【０００４】
ところで、上記のような大形天板においても、その天板上で使用するパソコン，プリンタ，携帯電話などのＯＡ機器や通信機器のための電源線や通信線（情報線を含む。以下同じ）を前記機器類に接続するために、天板に配線用の開口部を設けその開口部の下に断面略Ｕ状などの配線ダクトが配備されている。
【０００５】
しかし、天板上に多数のオフィス要員、例えば夫々が使用するパソコンをネットワーク環境に接続するには、ハブ（ＨＵＢ）やルーターなどのように比較的大型の中継機器や接続機器（以下、これらを単に「ハブ」という）を使用することになるが、天板下の配線ダクトではその断面積に限りがあるためハブのような大き目の機器類は配線ダクト内には配置できない場合が多い。
【０００６】
ところで、上記の配線ダクトには、断面略Ｕ状であるが底板をトレー状に形成してダクトの両側壁の下部に当該トレー状底板を載架したり、引掛けたりしてそのトレー状底板を、ダクトの長さ方向に移動自在、並びに、取外し自在にしたものがある。
【０００７】
配線ダクトにおいて、そのダクトの底を着脱自在のトレー状底板で形成すると、ダクトに対する配線の出入れ作業が容易になると共に、ダクトに収容できない大きさのハブなどの接続機器や中継機器を、当該ダクトの底部に吊下げ形態で設けることができるという利点もある。
【０００８】
しかし乍ら、配線ダクトのトレー状底部を取外し、その部位からハブを吊下して設けると、吊下げしたハブが配線ダクト底面からダクトの下方へ大きくはみ出すこととなり、見映えも良好でないのみならず、天板の下に挿入されることが多い天板下用キャビネットやワゴンなどと前記の吊下して設けられたハブが干渉（衝突）することもあって好ましい状況とはいえない。
【０００９】
この点に鑑み、配線ダクトの下方から床近くまでに幕板部材を配設してその内部にハブを配置し、ハブとワゴンなどとの衝突などを防止するようにした大形天板を有するテーブルの提案もあるが、前記幕板部材で囲んだ部分が天板の下方空間を大きく占有してしまうので、天板下方の空間が狭くなったり、外部から見える幕板部材が目障りになったりして、望ましい状態とはいえない。
【００１０】
また、見映えの問題だけではなく、ハブが配線ダクトの底部から吊下された形態で設けられると、当該ハブの上面に接続口を有するハブであっても、当該ハブに接続するには配線ダクトの底部にまで接続側のコネクタを手で持込まなければならず、しかも、このような接続作業であると天板が大形ゆえに小柄な人や女性では接続作業に支障を来たすという問題もある。
【特許文献１】特開２００７−４４１８０号公報
【特許文献２】特開２００５−６９０３号公報
【発明の開示】
【発明が解決しようとする課題】
【００１１】
そこで、本発明では、上記のような問題点に鑑み、取外し可能なトレー状底板を備えた配線ダクトの側壁に着目し、当該側壁下部の断面構造を利用してダクト内の天板面に近い部位に接続部を位置付けてハブを配設することができるようにしたハブ取付装置を提供することを課題とする。
【課題を解決するための手段】
【００１２】
上記課題を解決することを目的としてなされた本発明ハブ取付装置の構成は、天板に設けた配線ダクトにおける立壁状の下部に対向して形成されたＬ状段部に、前記配線ダクトに収まる正面視略門型状をなし、上部にハブ取付部に形成すると共に下部に前記段部への取付部を形成したハブ取付金具の２個を、前記ダクト内で移動，固定可能に設け、当該取付金具のハブ取付部にハブを架設して取付るようにしたことを特徴とするものである。
【００１３】
上記のハブ取付金具は、対向したＬ状段部の水平辺の上面に載置される逆Ｌ状の翼片を両側辺下部に対称的に備えた正面視略門型をなす取付金具本体と、前記Ｌ状段部の水平辺の下面に当接される外向き突出片を下部寄りに備えると共に前記取付金具本体の下面にビス止めされる内向き結合片を上端部に備えた締付金具を備えたものである。そして、このハブ取付金具は、その２組を、前記配線ダクトの立壁状側壁のＬ状段部に、設置されるハブの長さに見合うように離間させて取付け、離間して設けられた前記取付金具本体にハブの両端部を載架固定する。
ここで、取付金具本体の上面には、ハブ取付用のネジを螺入できる複数の雌ネジ穴が設けられ、サイズ違いのハブ側の取付部や、ハブを２列設けた場合などに対応できるように形成されている。また、本発明におけるＬ状と逆Ｌ状には、略Ｌ状と略逆Ｌ状も含むものとする。
【００１４】
本発明ハブ取付装置においては、前記締付金具における外向き突出片の下方に、設置したハブをカバーするカバー部材を吊下支持するための外向き係止片を形成したものがある。
【００１５】
すなわち、上記のカバー部材は、平面から見て略Ｕ状をなすパンチングプレートなどによる囲みパネル材を平面から見て対称的な形で組合せ、その側壁の上部に形成した断面略７状の被係止部を、前記締付金具を設けた外向き係止片に係止することにより、ハブのカバー部材を配線ダクトの両側壁下部に装着する構造とすることができるようになっている。
【発明の効果】
【００１６】
本発明は、天板に設けた配線ダクトにおける立壁状側壁の下縁に対称形に対向させて形成した略Ｌ状段部に対し、対向したＬ状段部の水平辺の上面に載置される逆Ｌ状の翼片を両側辺下部に対称的に備えた正面視略門型をなす取付金具本体と、前記Ｌ状段部の水平辺の下面に当接される外向き突出片を下部寄りに備えると共に前記取付金具本体の下面にビス止めされる内向き結合片を上端部に備えた締付金具を備えたハブ取付金具の２組を、前記配線ダクトの立壁状側壁のＬ状段部に、設置されるハブの長さに見合うように離間させて取付け、離間して設けられた前記取付金具本体にハブの両端部を載架固定してハブ取付装置を形成したから、略Ｌ状をなす立壁状の側壁下縁を有する配線ダクトの長さ方向における任意の位置に、当該天板上で使用する多数のパソコン等のネットワーク環境の接続に不可欠のハブであって、配線ダクトの内部に収容しきれないハブを配設することができる。しかも配置したハブは、その上面の接続口が配線ダクトの上部、つまり、天板の上面に近いので接続作業も容易である。
【００１７】
また、上記ハブは、配線ダクトに装着したハブ取付金具に、パンチングプレートなどによるハブの囲みパネル材を吊下設置できるようにしたので、ハブの配線ダクトの下方に突出した部分を外見上見映えよく、また、外力等による損傷を受けないようにカバーすることができる。
【発明を実施するための最良の形態】
【００１８】
次に、本発明ハブ取付装置の実施の形態例について、図を参照して説明する。
【００１９】
図１は本発明ハブ取付装置が取付けられる配線ダクトを有するテーブルの一例の斜視図、図２は図１のテーブルの要部の構成を分解状態で示した斜視図、図３は図２の配線ダクトの要部をより詳しく示した斜視図、図４は図１〜図３の配線ダクトに本発明ハブ取付装置を取付けた状態の拡大正断面図、図５は図４の取付けた状態をデスク側面から見た側面図、図６は囲いパネルを備えたハブ取付金具の正面図、図７は図６の右側面図、図８は図６の囲いパネルの平面図である。
【００２０】
図１〜図３において、１，２は中央部に配線用の開口部３を形成する天板、４は前記天板１，２を支持するパネル脚、５，６は前記天板１，２にそれらの長さ方向で接続される天板で、開口部３を有すると共に、側端に前記パネル脚と同様のパネル脚４を備えている。前記２組の天板１，２と同５，６接続部には、大略Ｔ状をなす中間脚７が配置されている。7aは中間脚７における天板支持アームである。
【００２１】
８は前記パネル脚４，４と中間脚７の間において、前記天板１，２と同５，６に形成した開口部３，３の下に配置される断面が略Ｕ状をなす配線ダクトである。この配線ダクト８は、両側壁81，82の下部が対称的に断面形状で略Ｌ状に曲げられた段部81a，82aが形成されており、向い合う略Ｌ状の段部81a，82aに、トレー状の底板（図示せず）が、その縁部を載架して取外し，移動自在に設けられている。
【００２２】
なお、図２，図３において、4a，4bは天板１，２の取付座、4c，4dは、配線ダクト８の端部面上部をネジ8aにより取付けるネジ穴、4e，4fは配線ダクト８の端部面下部のダルマ穴8b，8cを引掛けるための頭付きピンである。
83は配線ダクト８の端部面を形成する大略門型のダクトフレームで、配線ダクト８の側壁81と82の端部が取付けられる。
９は中間脚７の腕7aに設けた天板１，２と同５，６の連結部を取付ける取付座7a，7bにおいて、当該天板１，２と同５，６の連結用ボルトである。
【００２３】
本発明のハブ取付装置は、上記の配線ダクト８における側壁81，82を利用して設置されるので、次にこの点について図３〜図８を参照して説明する。
【００２４】
図４において、配線ダクト８における側壁81，82の下端に形成した段部81aと82aには、本発明ハブ取付装置の構成部材の一つである取付金具本体10が装架されている。
すなわち、取付金具本体10は、大略門型を呈し、両側の板状縦部材10a，10bの下端部に、上記配線ダクト８のＬ状段部81a，82a（以下、単に段部81a，82aという）が形成する凹部に嵌まる水平な翼片10c，10dを前記段部81a，82aへの取付部として具備している。一方、上部の横部材10Aの左右側には、後述する締付金具11，12をネジ10Bで取付けるためのネジ穴部10e，10fが形成されている。なお、前記ネジ穴部10eと10fの間に位置して形成された複数（図の例では６個）ネジ穴10gはハブＨ（図５参照）の取付部として形成されている。
【００２５】
締付金具11，12は対称的形状であるので、以下は締付金具11（金具12についてはカッコ内）について述べる（但し、用いる符号はアルファベットを共通にするが、アルファベットの前に付く数字は11と12で異なる）。
上記金具11は、上端部が┐状に曲げられた内向き結合片11a（12a）（以下、単に結合片11a（12a）という）を備えた縦部材11b（12b）の下部に、上記配線ダクト８における側壁81，82の段部81a，82aにその下面から当接させられる水平で外向きの突出片11c（12c）と、該突出片11c（12c）の下方に、その突出片11c（12c）と平行で後述するハブ囲いパネル13，14に設けた被係止部13a，14aを引掛けて支持する外向き凹状をなす外向き係止片11d（12d）をパネル吊下部として備えて形成されている。
【００２６】
本発明ハブ取付装置は、締付金具11，12を取付けない状態の２個の取付金具本体10，10を、配線ダクト８における側壁81，82のＬ状段部81a，82aの上に、適宜の距離を持たせてそれらの翼片10c，10dを載架する。
次いで、それぞれの取付金具本体10に、左右の締付金具11，12を前記金具本体10における横部材10Aの下面から当てがい、ネジ穴10e，10fに止めネジを締め込んで締付金具11と同12を取付金具本体10に取付ける。これにより、取付金具本体10と左右の締付金具11，12によって本発明ハブ取付金具の一例が形成される。この状態を例示したものが図４である。
【００２７】
上記の１個の取付金具本体10に対する左右の締付金具11，12のネジ10Bの締付けによる取付けによって、前記金具本体10の翼片10c，10dと締付金具11，12の突出片11c，12cにより配線ダクト８の段部81aと82aが上下から挟持されることになる。従って、２個のハブ取付金具本体10，10の離間距離や取付位置は、夫々の締付金具11，12のネジの締付け，緩めによって任意に変更，設定可能であるから、ハブ取付装置はこの取付工程において位置決めされる。
【００２８】
上記の取付金具本体10と締付金具11，12により形成されるハブ取付金具によって配線ダクト８の内部にハブ取付部が形成されたら、左右の締付金具11，12の下部に形成したパネル吊下部である係止片11d，12dに、ハブ囲いパネル13，14の被係止部13a，14aを引掛けてビス13B，14Bで止め、２組の取付金具本体10と締付金具11，12によるハブ取付部を、平面略コ状をなすハブ囲いパネル13，14を平面から見て略口状をなすように合体した形で設置する。ハブ囲いパネル13，14の合体は、両者13，14の合体面に設ける磁石（図示せず）や面ファスナ、或は、ビス止めなどによる。なお、図４において、右側の囲いパネル14は、ビス14Bによる取付前と取付後の状態を示している。
【００２９】
ハブ囲いパネル13，14が設置されたら、ハブＨ（図５参照）の上面パネル（この上面パネルには多数のコネクタ口が列設されている）の両端側の取付翼片部に設けた取付用ビス穴（図示せず）を、取付金具本体10，10に設けられているネジ穴10gに合せ、そこにネジを螺入して、このハブＨを平面略口状に配置された囲いパネル13，14の中に位置付けた取付けを終える。
【産業上の利用可能性】
【００３０】
本発明ハブ取付金具並びにハブ取付装置は以上の通りであって、天板の長さ方向に沿て設けられた配線ダクト８に備わる側壁81，82の下部に形成された段部81a，82aを上下から挟持するようにして、２組のハブ取付金具本体10とそれにネジ止めされる締付金具11，12により形成されるハブ取付金具によってハブ取付部を形成したので、ハブ取付装置を構成する取付金具本体10と締付金具11，12を配線ダクト８の長さ方向の任意の位置に位置付けることができ、従って、ハブＨを任意の位置に設けたり、設置位置を任意に変更することができる。
【００３１】
また、本発明ハブ取付装置は、略門型をなすハブ取付金具本体10と締付金具11，12によって配線ダクト８の左右の側壁81，82を跨ぐように設けられるので、上面に接続コネクタ口を備えたハブを配線ダクトの底よりも上位に位置付けることができ、従って、ハブＨへの接続作業が行い易い利点がある。
【図面の簡単な説明】
【００３２】
【図１】本発明ハブ取付装置が取付けられる配線ダクトを有するテーブルの一例の斜視図。
【図２】図１のテーブルの要部の構成を分解状態で示した斜視図。
【図３】図２の配線ダクトの要部をより詳しく示した斜視図。
【図４】図１〜図３の配線ダクトに本発明ハブ取付装置を取付けた状態の拡大正断面図。
【図５】図４の取付けた状態をデスク側面から見た側面図。
【図６】囲いパネルを備えたハブ取付金具の正面図。
【図７】図６の右側面図。
【図８】図６の囲いパネルの平面図。
【符号の説明】
【００３３】
１，２、５．６    天板
３                配線用の開口部
４                パネル脚
７                中間脚
８                配線ダクト
81，82            ダクトの側壁
81a，82a          Ｌ状段部
９                天板連結用ボルト
10                ハブの取付金具本体
10A               横部材
10a，10b          縦部材
10c，10d          翼片
10e，10f          ネジ穴
10g               ハブ取付用ネジ穴
11，12            締付金具
11a，12a          内向き結合片
11b，12b          縦部材
11c，12c          外向き突出片
11d，12d          外向き係止片（パネル吊下部）
13，14            ハブ囲いパネル
13a，14a          被係止部
【図１】
2010110473.tif 000003
【図２】
2010110473.tif 000004
【図３】
2010110473.tif 000005
【図４】
2010110473.tif 000006
【図５】
2010110473.tif 000007
【図６】
2010110473.tif 000008
【図７】
2010110473.tif 000009
【図８】
2010110473.tif 000010